(57)【特許請求の範囲】
【請求項１】
ディジタルデータが記録されている記録媒体から前記ディジタルデータの再生を行うディジタルデータ再生装置であって、
前記記録媒体から記録情報の読み取りを行って読取信号を得るピックアップと、前記読取信号を順次サンプリングしてディジタルのサンプル値に変換するＡ／Ｄ変換器と、
前記サンプル値による系列に基づいて前記ディジタルデータの復号を行う復号手段と、
前記サンプル値の極性に対応した極性を有する所定電圧値の極性パルス信号を発生する極性パルス発生手段と、
前記極性パルス信号の平均電圧を求めこれを誤差電圧とする平均手段と、
前記誤差電圧に応じた補正電圧を前記読取信号に加算することにより前記読取信号のオフセット補正を行う手段とを有することを特徴とするディジタルデータ再生装置。
【請求項２】
ディジタルデータが記録されている記録媒体から前記ディジタルデータの再生を行うディジタルデータ再生装置であって、
前記記録媒体から記録情報の読み取りを行って読取信号を得るピックアップと、  前記読取信号を順次サンプリングしてディジタルのサンプル値に変換するＡ／Ｄ変換器と、
前記サンプル値による系列に基づいて前記ディジタルデータの復号を行う復号手段と、
前記サンプル値を補間して補間サンプル値を得る補間手段と、
前記補間サンプル値の極性に対応した極性を有する所定電圧値の極性パルス信号を発生する極性パルス発生手段と、
前記極性パルス信号の平均電圧を求めこれを誤差電圧とする平均手段と、
前記誤差電圧に応じた補正電圧を前記読取信号に加算することにより前記読取信号のオフセット補正を行う手段とを有することを特徴とするディジタルデータ再生装置。
【請求項３】
前記補正電圧は、前記Ａ／Ｄ変換器における基準電圧から前記誤差電圧を減算したものであることを特徴する請求項１又は２記載のディジタルデータ再生装置。
【請求項４】
ドロップアウトの検出を行うドロップアウト検出手段を備え、前記極性パルス発生手段は、前記ドロップアウト検出手段にてドロップアウトの発生が検出された場合にはパルスデューティ５０％のパルス信号を前記極性パルス信号として発生することを特徴とする請求項１又は２記載のディジタルデータ再生装置。
【請求項５】
前記ドロップアウト検出手段は、前記ディジタルデータ再生装置自体の起動時、又は特殊再生動作時においてはドロップアウト検出動作を停止することを特徴とする請求項４記載のディジタルデータ再生装置。
【発明の詳細な説明】
【０００１】
【発明の属する技術分野】
本発明は、光ディスク等の記録媒体に記録されているディジタルデータの再生を行うディジタルデータ再生装置に関する。
【０００２】
【従来の技術】
近年、記録媒体に高密度記録されたディジタルデータを高い信頼性をもって復号する方法としてビタビ復号（Ｖｉｔｅｒｂｉ  Ａｌｇｏｒｉｔｈｍ）が知られている。かかるビタビ復号においては、記録媒体から読み取られた読取信号をＡ／Ｄ変換して得たサンプル値系列に対して、最も確からしいデータ系列を復号する。この際、読取信号の振幅値の変化推移に基づいて「１」又は「０」なる２値のデータ系列を復号するので、記録密度が高い場合、更に、読取信号のＳ／Ｎが低い場合においても信頼性の高い再生ディジタルデータが得られるのである。
【０００３】
図１は、かかるビタビ復号を適用して光ディスクに高密度記録されたディジタルデータの再生を行うディジタルデータ再生装置の構成を示す図である。
かかる図１において、光ピックアップ１は、スピンドルモータ２によって回転駆動される光ディスク３に光ビームを照射する。更に、光ピックアップ１は、かかる光ディスク３からの反射光を光電変換してアナログの読取信号を得てこれをアンプ４に供給する。アンプ４は、かかる読取信号の振幅を所望に増幅した増幅読取信号ｐを加算器５に供給する。加算器５は、かかる増幅読取信号ｐと、基準中心電圧Ｖｃとを加算して得た再生アナログ信号ｒをＡ／Ｄ変換器６に供給する。この際、かかる基準中心電圧Ｖｃとは、Ａ／Ｄ変換器６における変換時の基準となる中心電圧である。よって、この基準中心電圧Ｖｃを加算することにより、増幅読取信号ｐは、その振幅の中心がＡ／Ｄ変換器６の基準中心値に合わせ込まれた再生アナログ信号ｒに変換されるのである。Ａ／Ｄ変換器６は、かかる再生アナログ信号ｒをサンプリングクロックｓのタイミング毎にディジタルのサンプル値ｔに変換し、これをビタビ復号器２０に供給する。クロック発生回路７は、このサンプル値ｔによる系列の変化周期に位相同期したクロック信号を発生し、これを上述のサンプリングクロックｓとしてＡ／Ｄ変換器６に供給する。ビタビ復号器２０は、かかるＡ／Ｄ変換器６から順次供給されてくるサンプル値ｔの振幅変化に基づいて最も確からしい２値のデータ系列を復号し、これを再生ディジタルデータとして出力する。
【０００４】
ここで、ディジタルデータをディスク面上にピットとして形成するような光ディスクにおいては、その情報記録時の記録条件、及びピット成形条件の変動に起因して、ディスク面上のピット長が伸びる、あるいは縮む事がある。その結果、読取信号の振幅が、Ａ／Ｄ変換器６の基準中心電圧Ｖｃに対して上下非対称となる、いわゆるアシンメトリと呼ばれる現象が発生する。
【０００５】
図２（ａ）は、アシンメトリが生じていない状態、図２（ｂ）は、アシンメトリが生じている状態での再生アナログ信号ｒ、及びサンプル値ｔ夫々の波形例を示す図である。
かかる図２（ｂ）に示されるが如く、ディスク面上に形成されているピットにアシンメトリが生じていると増幅読取信号ｐにオフセットが生じ、再生アナログ信号ｒの振幅の中心Ｖｒは、Ａ／Ｄ変換器６における基準中心電圧Ｖｃと一致しなくなる。この際、Ａ／Ｄ変換器６から出力されるサンプル値ｔの各々は、かかるアシメトリの度合いに応じた分だけレベルシフトされてしまう。このようにレベル全体がシフトしてしまったサンプル値からでは、ビタビ復号器２０の本来の復号性能が発揮されず、それ故に、データ誤り率が悪化するという問題が発生するのである。
【０００６】
又、Ａ／Ｄ変換器６前段のアナログ回路の素子値誤差や調整誤差の影響により、再生アナログ信号ｒに上述の如きオフセットが生じた場合においても同様の性能劣化が生じてしまう。
【０００７】
【発明が解決しようとする課題】
本発明は、かかる問題を解決すべくなされたものであり、読取信号にオフセットが生じてしまっても、ビタビ復号の復号性能を劣化させることなくディジタルデータの再生を行うことが可能なディジタルデータ再生装置を提供することを目的とする。
【０００８】
【課題を解決するための手段】
本発明によるディジタルデータ再生装置は、ディジタルデータが記録されている記録媒体から前記ディジタルデータの再生を行うディジタルデータ再生装置であって、前記記録媒体から記録情報の読み取りを行って読取信号を得るピックアップと、前記読取信号を順次サンプリングしてディジタルのサンプル値に変換するＡ／Ｄ変換器と、前記サンプル値による系列に基づいて前記ディジタルデータの復号を行う復号手段と、前記サンプル値を補間して補間サンプル値を得る補間手段と、前記補間サンプル値の極性に対応した極性を有する所定電圧値の極性パルス信号を発生する極性パルス発生手段と、前記極性パルス信号の平均電圧を求めこれを誤差電圧とする平均手段と、前記誤差電圧に応じた補正電圧を前記読取信号に加算することにより前記読取信号のオフセット補正を行う手段とを有する。
【０００９】
【発明の実施の形態】
本発明によるディジタルデータ再生装置は、記録媒体から読み取られた読取信号を順次サンプリングしてディジタルのサンプル値に変換して、このサンプル値の系列に基づいてディジタルデータの復号を行いつつ、上記サンプル値の極性に応じたパルス電圧を発生してこのパルス電圧の平均電圧値にて上記読取信号のオフセット補正を行う。
【００１０】
【実施例】
以下、本発明の実施例について説明する。
図３は、本発明によるディジタルデータ再生装置の構成の一例を示す図である。
図３において、光ピックアップ１は、スピンドルモータ２によって回転駆動される光ディスク３に光ビームを照射する。更に、光ピックアップ１は、かかる光ディスク３からの反射光を光電変換して読取信号を得てこれをアンプ４に供給する。アンプ４は、かかる読取信号の振幅を所望に増幅した増幅読取信号ｐを加算器５に供給する。加算器５は、かかる増幅読取信号ｐと、補正基準中心電圧Ｖｃ’とを加算して得た再生アナログ信号ｒをＡ／Ｄ変換器６に供給する。Ａ／Ｄ変換器６は、かかる再生アナログ信号ｒをサンプリングクロックｓのタイミング毎にディジタルのサンプル値ｔに変換してこれをビタビ復号器２０に供給する。
【００１１】
クロック発生回路７は、このサンプル値ｔによる系列の変化周期に位相同期していて、かつ、記録データのビット変化タイミングと同一タイミングとなるようなサンプリングクロックｓを発生し、これを上述のサンプリングクロックｓとしてＡ／Ｄ変換器６に供給する。ビタビ復号器２０は、かかるＡ／Ｄ変換器６から順次供給されてくるサンプル値ｔの振幅変化に基づいて最も確からしい２値のデータ系列を復号し、これを再生ディジタルデータとして出力する。
【００１２】
極性パルス発生回路８は、上記サンプル値ｔの極性に応じたパルス電圧を有する極性パルス信号ｕを発生してこれを平均回路９に供給する。例えば、極性パルス発生回路８は、サンプル値ｔのＭＳＢ（Ｍｏｓｔ  Ｓｉｇｎｉｆｉｃａｎｔ  Ｂｉｔ）に基づいて、かかるサンプル値ｔが正の値であるか、あるいは負の値であるかの極性判別を行い、このサンプル値ｔが正の値であると判別されている期間中には、正電圧の極性パルス信号ｕを発生してこれを平均回路９に供給する一方、かかるサンプル値ｔが負の値であると判別されている期間中には、負電圧の極性パルス信号ｕを発生してこれを平均回路９に供給する。平均回路９は、例えばローパスフィルタからなり、かかる極性パルス信号ｕの平均電圧値を求めてこの平均電圧値を誤差電圧Ｖｅとして減算器１０に供給する。減算器１０は、Ａ／Ｄ変換器６における基準中心電圧Ｖｃから、この誤差電圧Ｖｅを減算して得られた電圧値を上記補正基準中心電圧Ｖｃ’として加算器５に供給する。つまり、基準中心電圧Ｖｃから誤差電圧Ｖｅを減算することによりオフセット補正された補正基準中心電圧Ｖｃ’を得るのである。
【００１３】
次に、かかる図３にて示されるディジタルデータ再生装置の動作について説明する。
図４及び図５は、光ピックアップ１が光ディスク３上に形成されている、記録データ｛１０００１１１０００１１１０００１｝に対応した記録ピット列をトレースした際に得られる再生アナログ信号ｒ、サンプル値ｔ、極性パルス信号ｕ、及び誤差電圧Ｖｅの一例を示す図である。
【００１４】
ここで、図４においては、記録ピット長が所定の長さよりも長くなってしまうというアシンメトリが生じている場合の各信号波形を示すものである。
この際、アンプ４から出力される増幅読取信号ｐは、全体的に負側にオフセットされたものとなり、それ故に、再生アナログ信号ｒも、Ａ／Ｄ変換器６における基準中心電圧Ｖｃに対して負側にオフセットされたものとなる。よって、かかるオフセットの量に応じた分だけ、極性パルス信号ｕが負電圧（−１ボルト）となる期間は、正電圧（＋１ボルト）となる期間よりも長くなる。従って、平均回路９は、かかるオフセット量に応じた値を有する負の誤差電圧Ｖｅを減算器１０に供給することになる。この際、減算器１０にて得られる補正基準中心電圧Ｖｃ’は、かかる誤差電圧Ｖｅの絶対値の分だけ基準中心電圧Ｖｃよりも高くなる。よって、図４の如く、基準中心電圧Ｖｃに対して負側にオフセットされてしまった再生アナログ信号ｒは、上記誤差電圧Ｖｅの絶対値の分だけ正側にレベルシフトされる。つまり、かかる再生アナログ信号ｒの振幅の中心は、Ａ／Ｄ変換器６における基準中心電圧Ｖｃと等しくなるようにオフセット補正されるのである。
【００１５】
一方、図５においては、記録ピット長が所定の長さよりも短くなってしまうというアシンメトリが生じている場合の各信号波形を示すものである。
この際、アンプ４から出力される増幅読取信号ｐは、全体的に正側にオフセットされたものとなり、それ故に、再生アナログ信号ｒもＡ／Ｄ変換器６における基準中心電圧Ｖｃに対して正側にオフセットされたものとなる。よって、このオフセット量に応じた分だけ、極性パルス信号ｕが正電圧（＋１ボルト）となる期間は、負電圧（−１ボルト）となる期間よりも長くなる。従って、平均回路９は、かかるオフセット量に応じた値を有する正の誤差電圧Ｖｅを減算器１０に供給することになる。この際、減算器１０にて得られる補正基準中心電圧Ｖｃ’は、かかる誤差電圧Ｖｅの絶対値の分だけ基準中心電圧Ｖｃよりも低くなる。よって、図５に示されるが如き、正側にオフセットされてしまった再生アナログ信号ｒは、上記誤差電圧Ｖｅの絶対値の分だけ負側にレベルシフトされるので、その振幅の中心は、Ａ／Ｄ変換器６における基準中心電圧Ｖｃと等しくなるのである。
【００１６】
以上の如く、かかるディジタルデータ再生装置によれば、例え、増幅読取信号ｐの信号レベルにオフセットが生じても、極性パルス発生回路８、平均回路９及び減算器１０からなる補正回路により、再生アナログ信号ｒの振幅の中心が常にＡ／Ｄ変換器６における基準中心電圧Ｖｃと等しくなるようにオフセット補正されるのである。
【００１７】
尚、上記実施例においては、図４及び図５にて示されるように、記録データのビット変化タイミングと同一タイミングにてサンプリングされたサンプル値ｔに基づいて誤差電圧Ｖｅを求めるようにしているが、記録データのビット中央部のタイミングにて得られたサンプル値によっても同様に誤差電圧Ｖｅを求めることが可能である。
【００１８】
図６は、かかる記録データのビット中央部のタイミングと同一タイミングにて、サンプリングクロックｓを発生するというクロック発生回路７’が設けられている、本発明の他の実施例によるディジタルデータ再生装置の構成を示す図である。
図６において、光ピックアップ１は、スピンドルモータ２によって回転駆動される光ディスク３に光ビームを照射する。更に、光ピックアップ１は、かかる光ディスク３からの反射光を光電変換して読取信号を得てこれをアンプ４に供給する。アンプ４は、かかる読取信号の振幅を所望に増幅した増幅読取信号ｐを加算器５に供給する。加算器５は、かかる増幅読取信号ｐと、補正基準中心電圧Ｖｃ’とを加算して得た再生アナログ信号ｒをＡ／Ｄ変換器６に供給する。Ａ／Ｄ変換器６は、かかる再生アナログ信号ｒをサンプリングクロックｓのタイミング毎にディジタルのサンプル値ｔに変換してこれをビタビ復号器２０に供給する。
【００１９】
クロック発生回路７’は、このサンプル値ｔによる系列の変化周期に位相同期していて、かつ、記録データのビット中央部と同一タイミングとなるようなサンプリングクロックｓを発生し、これを上述のサンプリングクロックｓとしてＡ／Ｄ変換器６に供給する。ビタビ復号器２０は、かかるＡ／Ｄ変換器６から順次供給されてくるサンプル値ｔの振幅変化に基づいて最も確からしい２値のデータ系列を復号し、これを再生ディジタルデータとして出力する。
【００２０】
補間サンプル値生成回路１０は、連続する２つのサンプル値ｔの平均値を求め、これをサンプル値ｔの中間サンプル時点における補間サンプル値ｔ’として得る。
極性パルス発生回路８は、上記補間サンプル値ｔ’の極性に応じたパルス電圧を有する極性パルス信号ｕを発生してこれを平均回路９に供給する。例えば、極性パルス発生回路８は、補間サンプル値ｔ’のＭＳＢに基づいて、かかる補間サンプル値ｔ’が正の値であるか、あるいは負の値であるかの極性判別を行い、この補間サンプル値ｔ’が正の値であると判別されている期間中には、正電圧の極性パルス信号ｕを発生してこれを平均回路９に供給する一方、かかる補間サンプル値ｔ’が負の値であると判別されている期間中には、負電圧の極性パルス信号ｕを発生してこれを平均回路９に供給する。平均回路９は、例えばローパスフィルタからなり、かかる極性パルス信号ｕの平均電圧値を求めてこの平均電圧値を誤差電圧Ｖｅとして減算器１０に供給する。減算器１０は、Ａ／Ｄ変換器６における基準中心電圧Ｖｃから、この誤差電圧Ｖｅを減算して得られた電圧値を上記補正基準中心電圧Ｖｃ’として加算器５に供給する。つまり、基準中心電圧Ｖｃから誤差電圧Ｖｅを減算することにより、オフセット補正された補正基準中心電圧Ｖｃ’を得る。
【００２１】
図７は、かかる図６にて示されるディジタルデータ再生装置の光ピックアップ１が、光ディスク３上に形成されている、記録データ｛１０００１１１０００１１１０００１｝に対応した記録ピット列をトレースした際に得られる再生アナログ信号ｒ、サンプル値ｔ、補間サンプル値ｔ’、極性パルス信号ｕ及び誤差電圧Ｖｅ各々を示す図である。尚、かかる図７においては、記録ピット長が所定の長さよりも長くなってしまうというアシンメトリが生じている場合の各信号波形を示している。
【００２２】
ここで、図７に示されるが如きアシンメトリが生じている場合において、図３に示される装置と同様に、サンプル値ｔに基づいて誤差電圧Ｖｅを求めると、かかるサンプル値ｔが正の値である期間と、負の値である期間は共に３クロック期間であることから、その平均値としての誤差電圧Ｖｅは０となってしまう。つまり、アシンメトリが生じているにも拘わらず、基準中心電圧Ｖｃに対する補正が為されないのである。
【００２３】
そこで、上記図６に示されるディジタルデータ再生装置においては、補間サンプル値生成回路１０により、連続する２つのサンプル値ｔ同士の中間時点における補間サンプル値ｔ’を求め、この補間サンプル値ｔ’の極性変化に応じて図７に示されるが如き極性パルス信号ｕを得るようにしているのである。
かかる構成によれば、記録データのビット中央部にてサンプリングを行うようにしてあるＡ／Ｄ変換器６及びクロック発生回路７’が適用されているディジタルデータ再生装置においても、基準中心電圧Ｖｃに対する補正が実施されるのである。
【００２４】
又、上記実施例にて示したディジタルデータ再生装置においては、ドロップアウトが生じると、長期間にわたり再生アナログ信号の信号レベルが正又は負の値のいずれか一方に固定されてしまう。この際、かかるドロップアウト期間中に、誤った誤差電圧Ｖｅが蓄積されることになる。よって、かかるドロップアウトが終了して正常動作に復帰した直後において、この蓄積された誤差電圧Ｖｅによる誤ったレベル補正が実施されてしまうという問題が発生する。
【００２５】
図８は、かかるドロップアウトを補償する為のドロップアウト補償回路１１を設けるようにした本発明の他の実施例によるディジタルデータ再生装置の構成を示す図である。
尚、かかる図８に示されている装置は、上記図３に示されている装置に、このドロップアウト補償回路１１を設けただけのものであり、他の機能モジュールの動作は上述した図３の装置のものと同一である。
【００２６】
ドロップアウト補償回路１１は、先ず、サンプル値ｔのＭＳＢのビット反転間隔を監視することにより、ドロップアウトが発生しているか否かの検出を行う。この際、かかるサンプル値ｔのＭＳＢのビット反転間隔が所定時間内に収まっている時、すなわちドロップアウトが発生していない場合には、かかるサンプル値ｔのＭＳＢに対応したパルス信号ＭＳＢ’を極性パルス発生回路８に供給する。一方、所定時間が経過しても上記のビット反転が生じなかった時、すなわちドロップアウトが検出された場合には、パルスデューティ５０％にて論理１及び論理０状態を繰り返すパルス信号をパルス信号ＭＳＢ’として極性パルス発生回路８に供給する。
【００２７】
図９は、かかるドロップアウト補償回路１１の回路構成、図１０は、かかるドロップアウト補償回路１１の動作の一例を示す図である。
図９において、フリップフロップＦ１及びエクスクルーシブオアゲートＥＸ１からなるビット反転検出回路は、サンプル値ｔにおけるＭＳＢのビット反転を検出する度に検出パルスＥＧを発生し、これをカウンタＣ１及びＳＲフリップフロップＦ２各々に供給する。カウンタＣ１は、かかる検出パルスＥＧが供給されると、そのカウント値を０にリセットしてから、サンプリングクロックｓのクロックパルス数をカウントする。この際、カウンタＣ１は、かかるサンプリングクロックｓのクロックパルス数を８クロックカウントする度に、その論理値が反転する８パルス検出信号Ｑ８を発生する。更に、カウンタＣ１は、かかるサンプリングクロックｓのクロックパルス数を１６クロックカウントする間に、かかる検出パルスＥＧが供給されず、そのカウント値がリセットされない場合には、１６パルス検出信号Ｑ１６を発生してこれをＳＲフリップフロップＦ２に供給する。
【００２８】
ＳＲフリップフロップＦ２は、かかる１６パルス検出信号Ｑ１６が供給された場合には、これをドロップアウト発生と判断して論理１なるドロップアウト検出信号ＤＯを、ゲートＧ１〜Ｇ３からなるセレクタＳ１に供給する。一方、ＳＲフリップフロップＦ２は、上記検出パルスＥＧが供給された場合にはドロップアウト無しと判断して論理０なるドロップアウト検出信号ＤＯを、かかるセレクタＳ１に供給する。
【００２９】
セレクタＳ１は、かかるドロップアウト検出信号ＤＯの論理が０である場合には、サンプル値ｔのＭＳＢをそのままパルス信号ＭＳＢ’として極性パルス発生回路８に供給する一方、ドロップアウト検出信号ＤＯの論理が１である場合、すなわちドロップアウトが発生していると判断された場合には、上記８パルス検出信号Ｑ８をパルス信号ＭＳＢ’として極性パルス発生回路８に供給する。
【００３０】
以上の如く、かかる図９にて示されるドロップアウト補償回路１１においては、コンパクトディスク（以下、ＣＤと称する）等の如きＥＦＭ変調符号が採用されている光ディスクでは、その記録データの最大ビット反転間隔が１１Ｔに制限されていることに着目して、１６クロック期間以上にわたりビット反転が生じなかった場合にこれをドロップアウトと判断するようにしたのである。この間、かかるドロップアウト補償回路１１は、図１０に示されるが如きパルスデューティ５０％にて論理１及び論理０状態を繰り返すパルス信号をパルス信号ＭＳＢ’として極性パルス発生回路８に供給するのである。
【００３１】
よって、この際、極性パルス発生回路８は、パルスデューティ５０％にて、＋１ボルトである状態と−１ボルトである状態とを交互に繰り返すという発振状態の極性パルス信号ｕを発生し、これを平均回路９に供給するのである。ここで、パルスデューティ５０％となっている極性パルス信号ｕの平均電圧は０ボルトであるので、この際、平均回路９から出力される誤差電圧Ｖｅは０となる。
【００３２】
つまり、ドロップアウトが発生していない場合には、サンプル値ｔにおけるＭＳＢの反転間隔に応じた誤差電圧Ｖｅが得られる一方、ドロップアウトが発生している期間中は、０ボルトに固定された誤差電圧Ｖｅが得られることになるのである。
従って、かかるドロップアウト補償回路１１によれば、ドロップアウト期間中に誤った誤差電圧Ｖｅが蓄積されることが防止されるので、かかるドロップアウトからの復帰直後においても正常に補正動作が実施されるのである。
【００３３】
又、ディジタルデータ再生装置自体の起動時（フォーカスサーボ、トラッキングサーボ及びスピンドルサーボ等の各種サーボ動作の整定前の時点）、及び特殊再生時（トラックジャンプ、トラックサーチ等の動作時）には、かかるドロップアウトよりも長い期間に亘って、再生アナログ信号の反転動作が起こらなくなる。この際、上述した如きドロップアウト補償回路１１によるドロップアウト発生時の動作が実施されてしまうと回路が誤動作する可能性がある。
【００３４】
図１１は、かかる点に鑑みて為された本発明の他の実施例によるディジタルデータ再生装置の構成を示す図である。
尚、かかる図１１に示されている装置は、上記図８に示されている装置に、同期検出回路１２を設けたものであり、他の機能モジュールの動作はかかる図８に示されるている装置のものと同一である。
【００３５】
図１１において、同期検出回路１２は、ビタビ復号にて復号された再生ディジタルデータから同期信号の検出を行って同期検出信号をドロップアウト補償回路１１に供給する。ドロップアウト補償回路１１は、かかる同期検出信号が安定に得られている場合にのみ、前述した如きドロップアウト補償動作を実行する。
つまり、かかる図１１に示されているディジタルデータ再生装置では、ディジタルデータ再生装置自体の起動時、及び特殊再生時の如き、同期信号が安定して得られない状況下においてはドロップアウト補償回路１１の動作を停止させるようにしているのである。
【００３６】
【発明の効果】
以上の如く、本発明によるディジタルデータ再生装置は、記録媒体から読み取られた読取信号を順次サンプリングしてディジタルのサンプル値に変換して、このサンプル値の系列に基づいてディジタルデータの復号を行いつつ、上記サンプル値の極性に応じたパルス電圧を発生してこのパルス電圧の平均電圧値にて上記読取信号のオフセット補正を行う構成としている。
【００３７】
よって、本発明によれば、記録媒体から読み取られた読取信号にオフセットが生じてしまっても、このオフセットに応じた分だけかかる読取信号をレベルシフトさせるべくオフセット補正が為されるので、ビタビ復号における復号性能を劣化させることなく、高精度なディジタルデータ再生が実現されるのである。
【図面の簡単な説明】
【図１】従来のディジタルデータ再生装置の構成を示す図である。
【図２】再生アナログ信号ｒ及びサンプル値ｔの波形例を示す図である。
【図３】本発明によるディジタルデータ再生装置の構成を示す図である。
【図４】本発明のディジタルデータ再生装置による動作波形の一例を示す図である。
【図５】本発明のディジタルデータ再生装置による動作波形の一例を示す図である。
【図６】本発明の他の実施例によるディジタルデータ再生装置の構成を示す図である。
【図７】本発明の他の実施例によるディジタルデータ再生装置の動作波形の一例を示す図である。
【図８】本発明の他の実施例によるディジタルデータ再生装置の構成を示す図である。
【図９】ドロップアウト補償回路１１の回路構成を示す図である。
【図１０】ドロップアウト補償回路１１の動作波形を示す図である。
【図１１】本発明の他の実施例によるディジタルデータ再生装置の構成を示す図である。
【主要部分の符号の説明】
５  加算器
６  Ａ／Ｄ変換器
８  極性パルス発生回路
９  平均回路
１０  減算器
１１  ドロップアウト補償回路
【図１】
0003618421.tif 000002
【図２】
0003618421.tif 000003
【図３】
0003618421.tif 000004
【図４】
0003618421.tif 000005
【図５】
0003618421.tif 000006
【図６】
0003618421.tif 000007
【図７】
0003618421.tif 000008
【図８】
0003618421.tif 000009
【図９】
0003618421.tif 000010
【図１０】
0003618421.tif 000011
【図１１】
0003618421.tif 000012